(57)【特許請求の範囲】
【請求項１】
取引終了時に取引内容を暗号化して印字した暗号化レシートを発行する取引装置と、前記暗号化レシートの印字情報を読み取り、該印字情報を復号化して画面表示する読み取り端末とからなるレシート暗号化システムであって、前記読み取り端末を操作する利用者が前記暗号化レシートを復号化するための復号化キーまたは当該復号化キーを生成するためのデータを入力することにより、入力された前記復号化キーまたは入力された前記データに基づいて生成した復号化キーを用いて、当該読み取り端末において読み取った前記暗号化レシートの印字情報を復号化することを特徴とするレシート暗号化システム。
【請求項２】
前記暗号化レシートの印字情報を復号化するための前記復号化キーは、前記読み取り端末を操作する利用者と前記取引装置との間であらかじめ取り決めた復号化キー、あるいは、取引終了時に前記取引装置から前記読み取り端末に対して送信された復号化キーを用いることを特徴とする請求項１に記載のレシート暗号化システム。
【請求項３】
前記読み取り端末は、前記暗号化レシートの復号化を行う動作に先立って、当該読み取り装置を操作する利用者から入力されたパスワードにより本人認証を行うことを特徴とする請求項１または２に記載のレシート暗号化システム。
【請求項４】
前記読み取り端末は、カメラ付きの携帯電話、あるいは、イメージスキャナまたはカメラ付きのパソコンであることを特徴とする請求項１ないし３のいずれかに記載のレシート暗号化システム。
【請求項５】
取引終了時に取引内容を暗号化して印字した暗号化レシートを発行する取引装置と、前記暗号化レシートの印字情報を読み取り、該印字情報を復号化して画面表示する読み取り端末とからなるレシート暗号化方法であって、前記読み取り端末を操作する利用者が前記暗号化レシートを復号化するための復号化キーまたは当該復号化キーを生成するためのデータを入力することにより、入力された前記復号化キーまたは入力された前記データに基づいて生成した復号化キーを用いて、当該読み取り端末において読み取った前記暗号化レシートの印字情報を復号化することを特徴とするレシート暗号化方法。
【請求項６】
前記暗号化レシートの印字情報を復号化するための前記復号化キーは、前記読み取り端末を操作する利用者と前記取引装置との間であらかじめ取り決めた復号化キー、あるいは、取引終了時に前記取引装置から前記読み取り端末に対して送信された復号化キーを用いることを特徴とする請求項５に記載のレシート暗号化方法。
【請求項７】
前記読み取り端末は、前記暗号化レシートの復号化を行う動作に先立って、当該読み取り装置を操作する利用者から入力されたパスワードにより本人認証を行うことを特徴とする請求項５または６に記載のレシート暗号化方法。
【請求項８】
前記読み取り端末は、カメラ付きの携帯電話、あるいは、イメージスキャナまたはカメラ付きのパソコンであることを特徴とする請求項５ないし７のいずれかに記載のレシート暗号化方法。
【請求項９】
請求項５ないし８のいずれかに記載のレシート暗号化方法を、コンピュータによって実行可能なプログラムとして実施していることを特徴とするレシート暗号化プログラム。
【発明の詳細な説明】
【技術分野】
【０００１】
本発明は、レシート暗号化システム、レシート暗号化方法およびレシート暗号化プログラムに関する。本発明は、取引終了時に取引内容を記載したレシートを発行する各種の業務に適用することができ、特に、金融機関のＡＴＭ（Automatic  Teller  Machine：現金自動預け払い機）におけるレシート発行に好適に適用することができる。
【背景技術】
【０００２】
取引終了時に発行したレシートの情報漏洩を防止するシステムの一例が、特許文献１の特開２００６−３１８０９９号公報「領収書発行システム」に記載されている。該特許文献１に記載の技術は、取引内容を電子透かしとして所定の画像に埋め込む透かし生成部と、該透かし生成部によって前記取引内容が埋め込まれた画像を表示する表示部とを備える取引装置と、前記表示部に表示された前記画像を撮像する撮像部と、該撮像部が撮影した当該画像に埋め込まれている取引内容を読み取る透かし読取部とを備える読み取り端末とを含むことを主要な特徴としている。
【０００３】
かくのごとき構成を有する前記特許文献１に記載の技術は、次のように動作する。すなわち、取引装置においては取引の内容情報を透かし生成部にて電子透かしとして埋め込んだ画像を表示部に表示させ、一方、読み取り端末の撮像部例えば携帯電話のカメラなどによって取引装置の表示部に表示された画像を撮影して、透かし読取部によって画像に埋め込まれている取引の内容情報を取得する。
【先行技術文献】
【特許文献】
【０００４】
【特許文献１】特開２００６−３１８０９９号公報（第３−５頁）
【発明の概要】
【発明が解決しようとする課題】
【０００５】
しかしながら、前述のような従来の技術においては、画像を撮影した携帯電話等を紛失した場合、透かし読取部によって取得された取引の内容情報が外部に漏洩する可能性がある。また、ＡＴＭ（Automatic  Teller  Machine：現金自動預け払い機）のように、印刷物として取引情報が欲しいという要求に応じて、取引終了後に、取引内容や預金残高が記載されたレシートを発行する場合、該取引内容や預金残高等の個人情報が、レシートの紛失や盗難によって流出してしまう恐れもある。
【０００６】
（本発明の目的）
本発明は、かくのごとき問題を解決するためになされたものであり、取引内容を記載したレシートのセキュリティ性の向上が可能なレシート暗号化システム、レシート暗号化方法およびレシート暗号化プログラムを提供することをその目的としている。
【課題を解決するための手段】
【０００７】
前述の課題を解決するため、本発明によるレシート暗号化システム、レシート暗号化方法およびレシート暗号化プログラムは、主に、次のような特徴的な構成を採用している。
【０００８】
（１）本発明によるレシート暗号化システムは、取引終了時に取引内容を暗号化して印字した暗号化レシートを発行する取引装置と、前記暗号化レシートの印字情報を読み取り、該印字情報を復号化して画面表示する読み取り端末とからなるレシート暗号化システムであって、前記読み取り端末を操作する利用者が前記暗号化レシートを復号化するための復号化キーまたは当該復号化キーを生成するためのデータを入力することにより、入力された前記復号化キーまたは入力された前記データに基づいて生成した復号化キーを用いて、当該読み取り端末において読み取った前記暗号化レシートの印字情報を復号化することを特徴とする。
【０００９】
（２）本発明によるレシート暗号化方法は、取引終了時に取引内容を暗号化して印字した暗号化レシートを発行する取引装置と、前記暗号化レシートの印字情報を読み取り、該印字情報を復号化して画面表示する読み取り端末とからなるレシート暗号化方法であって、前記読み取り端末を操作する利用者が前記暗号化レシートを復号化するための復号化キーまたは当該復号化キーを生成するためのデータを入力することにより、入力された前記復号化キーまたは入力された前記データに基づいて生成した復号化キーを用いて、当該読み取り端末において読み取った前記暗号化レシートの印字情報を復号化することを特徴とする。
【００１０】
（３）本発明によるレシート暗号化プログラムは、少なくとも前記（２）に記載のレシート暗号化方法を、コンピュータによって実行可能なプログラムとして実施していることを特徴とする。
【発明の効果】
【００１１】
本発明のレシート暗号化システム、レシート暗号化方法およびレシート暗号化プログラムによれば、以下のような効果を奏することができる。
【００１２】
第１の効果は、取引装置においてレシートを発行する際に、取引内容を暗号化した暗号化レシートとして印字しているので、取引内容を記載した暗号化レシートの紛失や盗難が発生しても、第三者に取引内容が流出することを確実に防止することができることにある。
【００１３】
第２の効果は、読み取り端末において暗号化レシートの情報を復号化する場合、当該読み取り端末を操作する利用者は、復号化キー（または復号化キーを生成するためのデータ）を入力することを必要としているので、該復号化キー（または復号化キーを生成するためのデータ）を知らない第三者は、暗号化レシートの情報を復号化して閲覧することができなく、取引内容のセキュリティを向上させることができる。
【００１４】
すなわち、本発明においては、暗号化レシート、読み取り端末、復号化キーの３つの要件が揃っていない限り、暗号化レシートに暗号化して記載されている取引内容を閲覧することができないので、取引内容のセキュリティ性を向上させることができる。
【図面の簡単な説明】
【００１５】
【図１】本発明によるレシート暗号化システムのシステム構成の一例を示すシステム構成図である。
【図２】図１に示すレシート暗号化システムの取引装置の動作の一例を説明するためのフローチャートである。
【図３】図１に示すレシート暗号化システムの読み取り端末の動作の一例を説明するためのフローチャートである。
【図４】本発明によるレシート暗号化システムのシステム構成の他の例を示すシステム構成図である。
【図５】図４に示すレシート暗号化システムの取引装置の動作の一例を説明するためのフローチャートである。
【発明を実施するための形態】
【００１６】
以下、本発明によるレシート暗号化システム、レシート暗号化方法およびレシート暗号化プログラムの好適な実施形態について添付図を参照して説明する。なお、以下の説明においては、本発明によるレシート暗号化システムおよびレシート暗号化方法について説明するが、かかるレシート暗号化方法をコンピュータにより実行可能なレシート暗号化プログラムとして実施するようにしても良いし、あるいは、レシート暗号化プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。本発明は、取引終了時に、取引内容を記載して発行されるレシートの情報を暗号化して暗号化レシートとして印字し、該暗号化レシートを復号化するための復号化キーを所持している利用者のみが、該暗号化レシートに記載されていた取引内容を閲覧することを可能にしていることを主要な特徴としている。該取引として、例えば、ＡＴＭ（Automatic  Teller  Machine：現金自動預け払い機）において発行されるレシートの情報（口座番号や預金残高、取引金額等）を暗号化する場合に特に好適に適用することができる。
【００１８】
該ここで、暗号化レシートを復号化するための復号化キーを所持した利用者が使用する機器としては、例えば、携帯電話やパソコン等が該当しており、携帯電話のカメラやパソコンのイメージスキャナ・カメラ等によって暗号化レシートを撮影して、復号化キーを用いて暗号化レシートに印字されていた印字結果を復号化することを可能としている。
【００１９】
（実施形態の構成例）
次に、本発明によるレシート暗号化システムのシステム構成について、その一例を、図１を用いて詳細に説明する。図１は、本発明によるレシート暗号化システムのシステム構成の一例を示すシステム構成図である。
【００２０】
図１に示すように、本発明によるレシート暗号化システムは、取引内容を暗号化したレシートを印字する取引装置１０１と、暗号化されたレシートの情報を読み取り、復号化して画面表示する読み取り端末１２１とによって構成されている。
【００２１】
取引装置１０１は、例えば、ＡＴＭ（Automatic  Teller  Machine：現金自動預け払い機）であり、取引内容を暗号化する暗号化制御部１０２と、暗号化された取引内容を暗号化レシート１０４として印字するレシート印字部１０３とを少なくとも含んで構成されている。
【００２２】
一方、読み取り端末１２１は、例えば、カメラ付き携帯電話やイメージスキャナまたはカメラ付きのパソコンであり、暗号化レシート１０４を撮影する撮影部１２２と、撮影した暗号化レシート１０４の情報を、復号化キー入力部１２５から入力された復号化キーによって復号化する復号化制御部１２３と、暗号化レシート１０４の情報を復号化して得られた取引内容を関する情報を画面表示する表示部１２４とを少なくとも含んで構成されている。
【００２３】
（実施形態の動作の説明）
次に、図１に示したレシート暗号化システムの動作について、その一例を、図２および図３のフローチャートを用いて詳細に説明する。図２は、図１に示すレシート暗号化システムの取引装置１０１の動作の一例を説明するためのフローチャートであり、図３は、図１に示すレシート暗号化システムの読み取り端末１２１の動作の一例を説明するためのフローチャートである。
【００２４】
まず、図２に示すフローチャートを用いて、図１に示すレシート暗号化システムの取引装置１０１の動作例について説明する。図２のフローチャートにおいて、まず、取引装置１０１を操作する顧客は、取引の種類を選択するとともに、本人認証用の暗証番号を入力する（ステップＡ１）。本人の認証が得られると、次いで、顧客は、取引結果として取引内容を印字したレシートの発行が必要か否かを選択する（ステップＡ２）。
【００２５】
顧客が、レシートの発行が不要である旨を選択した場合（ステップＡ２の'不要'）、取引を開始し（ステップＡ９）、取引が終了すると、取引結果を示す取引内容を取引装置１０１の表示画面に表示して、顧客に提示する。顧客が取引内容を承認すると、取引を終了する。
【００２６】
これに対して、顧客が、レシートの発行が必要である旨を選択した場合は（ステップＡ２の'要'）、次に、発行するレシートを暗号化することが必要か否かを選択する（ステップＡ３）。顧客が、発行するレシートの暗号化が不要である旨を選択した場合は（ステップＡ３の'不要'）、取引を開始し（ステップＡ７）、取引が終了すると、取引結果を示す取引内容を取引装置１０１の表示画面に表示して、顧客に提示する。顧客が取引内容を承認すると、暗号化していない通常のレシートをレシート印字部１０３にて印字して発行した後（ステップＡ８）、取引を終了する。
【００２７】
一方、顧客が、発行するレシートの暗号化が必要である旨を選択した場合は（ステップＡ３の'要'）、取引を開始し（ステップＡ４）、取引が終了すると、取引結果を示す取引内容を取引装置１０１の表示画面に表示して、顧客に提示する。顧客が取引内容を承認すると、先ず、取引内容を暗号化制御部１０２によって暗号化する（ステップＡ５）。しかる後、暗号化した取引内容を記載した暗号化レシート１０４をレシート印字部１０３にて印字して発行した後（ステップＡ６）、取引を終了する。
【００２８】
なお、図２のフローチャートにおいては、取引内容を示すレシートの発行の要否（ステップＡ２）、レシートの発行が必要な場合の暗号化レシートの要否（ステップＡ３）を取引の開始前に実施する場合について示しているが、かかる場合に限るものではなく、取引開始後や取引終了時に実施するようにしても良い。
【００２９】
次に、図３に示すフローチャートを用いて、図１に示すレシート暗号化システムの読み取り端末１２１の動作例として、図２の取引装置１０１側のフローチャートにおいて発行された暗号化レシート１０４を復号化する動作について説明する。図３のフローチャートにおいて、まず、顧客は、取引装置１０１側で発行された暗号化レシート１０４を、携帯電話またはパソコン等の読み取り端末１２１のカメラの前やイメージスキャナの読み取り部にセットして（ステップＢ１）、読み取り端末１２１のカメラやイメージスキャナの撮影部１２２を駆動することによって、暗号化レシート１０４を撮影して、暗号化レシート１０４に記載されている印字情報を読み取る（ステップＢ２）。
【００３０】
ここで、当該読み取り端末１２１を操作する顧客は、暗号化レシート１０４を発行した取引装置１０１を管理する組織（例えば金融機関）との間で、暗号化レシート１０４の印字内容を復号化するための復号化キーをあらかじめ取り決めている。
【００３１】
次に、読み取り端末１２１を操作する顧客は、取引装置１０１を管理する組織との間であらかじめ取り決めている復号化キーを復号化キー入力部１２５から入力して（ステップＢ３）、撮影部１２２にて読み取った暗号化レシート１０４の印字内容を復号化することによって、印字内容を平文化した取引内容に変換する(ステップＢ４)。
【００３２】
しかる後、復号化した取引内容を表示部１２４に画面表示して、読み取り端末１２１を操作する顧客に提示し、取引内容の閲覧を可能にする（ステップＢ５）。
【００３３】
なお、ステップＢ３において、顧客は、復号化キーそのものを入力する代わりに、復号化キーを生成するためのデータを入力し、読み取り端末１２１の復号化キー入力部１２５において、入力されたデータをあらかじめ定めた変換ルールに基づいて変換することにより、復号化キーを生成するようにしても良い。また、復号化キーのセキュリティをさらに向上させるために、復号化制御部１２３において復号化動作を行うのに先立って、復号化操作をしている顧客の認証を行うためのパスワードの入力操作を必要とするようにしても良い。
【００３４】
（実施形態の効果の説明）
以上に詳細に説明したように、本実施形態においては次のような効果が得られる。
【００３５】
第１の効果は、取引装置１０１においてレシートを発行する際に、取引内容を暗号化した暗号化レシート１０４として印字しているので、取引内容を記載した暗号化レシート１０４の紛失や盗難が発生しても、第三者に取引内容が流出することを確実に防止することができることにある。
【００３６】
第２の効果は、読み取り端末１２１において暗号化レシート１０４の情報を復号化する場合、当該読み取り端末１２１を操作する利用者は、復号化キー（または復号化キーを生成するためのデータ）を入力することを必要としているので、該復号化キー（または復号化キーを生成するためのデータ）を知らない第三者は、暗号化レシート１０４の情報を復号化して閲覧することができなく、取引内容のセキュリティを向上させることができる。
【００３７】
第３の効果は、読み取り端末１２１により暗号化レシート１０４を復号化する操作を行うためには、さらに、パスワードの入力操作を必要とするように設定することも可能にしているので、暗号化レシート１０４と読み取り端末１２１（例えば携帯電話やパソコン）とを一緒に紛失してしまった場合であっても、第三者に取引内容が流出することをより確実に防止することができることにある。
【００３８】
（他の実施形態の構成例）
次に、本発明によるレシート暗号化システムのシステム構成について、前述の図１とは異なる構成例を、図４を用いて詳細に説明する。図４は、本発明によるレシート暗号化システムのシステム構成の他の例を示すシステム構成図である。
【００３９】
図４に示すレシート暗号化システムは、図１の場合と同様、取引内容を暗号化したレシートを印字する取引装置２０１と、暗号化されたレシートの情報を読み取り、復号化して画面表示する読み取り端末２２１とによって構成されており、取引装置２０１は、例えば、ＡＴＭ（Automatic  Teller  Machine：現金自動預け払い機）であり、読み取り端末２２１は、例えば、カメラ付き携帯電話やイメージスキャナまたはカメラ付きのパソコンである。
【００４０】
しかし、図４に示す取引装置２０１は、図１の取引装置１０１とは異なり、取引内容を暗号化する暗号化制御部２０２と、暗号化された取引内容を暗号化レシート２０４として印字するレシート印字部２０３との他に、取引に関連付けられた復号化キーすなわち該暗号化レシート２０４の情報を復号化するための復号化キーを読み取り端末２２１に対して送信する復号化キー送信部２０５をさらに含んで構成されている。
【００４１】
また、図４に示す読み取り端末２２１は、図１の読み取り端末１２１とは異なり、暗号化レシート２０４を撮影する撮影部２２２と、撮影した暗号化レシート２０４の情報を、復号化キー入力部２２５から入力された復号化キーによって復号化する復号化制御部２２３と、暗号化レシート２０４の情報を復号化して得られた取引内容を関する情報を画面表示する表示部２２４との他に、復号化キー入力部２２５から入力するための復号化キーを取引装置２０１から受信する復号化キー受信部２２６をさらに含んで構成されている。
【００４２】
なお、取引装置２０１の復号化キー送信部２０５と読み取り端末２２１の復号化キー受信部２２６の間で復号化キーに関する情報を送受信するための通信手段としては、無線媒体を介して直接送受信するようにしても良いし、電子メールを用いて送受信するようにしても良い。
【００４３】
（他の実施形態の動作の説明）
次に、図４に示したレシート暗号化システムの動作について、その一例を、図５のフローチャートを用いて詳細に説明する。図５は、図４に示すレシート暗号化システムの取引装置２０１の動作の一例を説明するためのフローチャートである。
【００４４】
図５のフローチャートにおいて、まず、取引装置２０１を操作する顧客は、図２のフローチャートのステップＡ１の場合と同様、取引の種類を選択するとともに、本人認証用の暗証番号を入力する（ステップＣ１）。本人の認証が得られると、次いで、顧客は、図２のフローチャートのステップＡ２の場合と同様、取引結果として取引内容を印字したレシートの発行が必要か否かを選択する（ステップＣ２）。
【００４５】
顧客が、レシートの発行が不要である旨を選択した場合（ステップＣ２の'不要'）、図２のフローチャートのステップＡ９の場合と同様、取引を開始し（ステップＣ１０）、取引が終了すると、取引結果を示す取引内容を取引装置２０１の表示画面に表示して、顧客に提示する。顧客が取引内容を承認すると、取引を終了する。
【００４６】
これに対して、顧客が、レシートの発行が必要である旨を選択した場合は（ステップＣ２の'要'）、図２のフローチャートのステップＡ３の場合と同様、次に、発行するレシートを暗号化することが必要か否かを選択する（ステップＣ３）。顧客が、発行するレシートの暗号化が不要である旨を選択した場合は（ステップＣ３の'不要'）、図２のフローチャートのステップＡ７、Ａ８の場合と同様、取引を開始し（ステップＣ８）、取引が終了すると、取引結果を示す取引内容を取引装置２０１の表示画面に表示して、顧客に提示する。顧客が取引内容を承認すると、暗号化していない通常のレシートをレシート印字部２０３にて印字して発行した後（ステップＣ９）、取引を終了する。
【００４７】
一方、顧客が、発行するレシートの暗号化が必要である旨を選択した場合は（ステップＣ３の'要'）、図２のフローチャートのステップＡ４、Ａ５の場合と同様、取引を開始し（ステップＣ４）、取引が終了すると、取引結果を示す取引内容を取引装置２０１の表示画面に表示して、顧客に提示する。顧客が取引内容を承認すると、先ず、取引内容を暗号化制御部２０２によって暗号化する（ステップＣ５）。
【００４８】
しかる後、図２のフローチャートの場合とは異なり、暗号化レシート２０４の情報の復号化を行うための復号化キーを、復号化キー送信部２０５から当該取引を行った顧客が使用する読み取り端末２２１の復号化キー受信部２２６に対して配信する（ステップＣ６）。復号化キーの配信が終了した後は、図２のフローチャートのステップＡ６の場合と同様、暗号化した取引内容を記載した暗号化レシート２０４をレシート印字部２０３にて印字して発行した後（ステップＣ７）、取引を終了する。
【００４９】
なお、図５のフローチャートにおいては、図２のフローチャートのステップＡ２、Ａ３の場合と同様、取引内容を示すレシートの発行の要否（ステップＣ２）、レシートの発行が必要な場合の暗号化レシートの要否（ステップＣ３）を取引の開始前に実施する場合について示しているが、かかる場合に限るものではなく、取引開始後や取引終了時に実施するようにしても良い。また、ステップＣ６において、復号化キー送信部２０５から復号化キーを配信する送信先となる読み取り端末２２１の宛先に関する情報は、取引装置２０１を操作する顧客から入力された情報を用いるようにすれば良い。
【００５０】
次に、図４に示すレシート暗号化システムの読み取り端末２２１の動作例として、図４の取引装置２０１側のフローチャートにおいて発行された暗号化レシート２０４を復号化する動作について、前述した図３のフローチャートを用いて説明する。
【００５１】
ここで、本他の実施形態においては、図４の取引装置２０１側のフローチャートにおいて説明したように、当該読み取り端末２２１を操作する顧客は、暗号化レシート２０４を発行した取引装置２０１の復号化キー送信部２０５から、該暗号化レシート２０４の印字内容を復号化するための復号化キーを、読み取り端末２２１の復号化キー受信部２２６にてあらかじめ受信している。
【００５２】
本他の実施形態においては、まず、顧客は、前述の実施形態の場合と同様、取引装置２０１側で発行された暗号化レシート２０４を、携帯電話またはパソコン等の読み取り端末２２１のカメラの前やイメージスキャナの読み取り部にセットして（ステップＢ１）、読み取り端末２２１のカメラやイメージスキャナの撮影部２２２を駆動することによって、暗号化レシート２０４を撮影して、暗号化レシート２０４に記載されている印字情報を読み取る（ステップＢ２）。
【００５３】
次に、読み取り端末２２１を操作する顧客は、復号化キー受信部２２６にて取引装置１０１の復号化キー送信部２０５からあらかじめ受信している復号化キーを復号化キー入力部２２５から入力して（ステップＢ３）、撮影部２２２にて読み取った暗号化レシート２０４の印字内容を復号化することによって、印字内容を平文化した取引内容に変換する(ステップＢ４)。
【００５４】
しかる後、本他の実施形態においても、復号化した取引内容を表示部２２４に画面表示して、読み取り端末２２１を操作する顧客に提示し、取引内容の閲覧を可能にする（ステップＢ５）。
【００５５】
なお、本他の実施形態においても、前述した実施形態の場合と同様、ステップＢ３において、顧客は、復号化キーそのものを入力する代わりに、復号化キーを生成するためのデータを入力し、読み取り端末２２１の復号化キー入力部２２５において、入力されたデータをあらかじめ定めた変換ルールに基づいて変換することにより、復号化キーを生成するようにしても良い。また、復号化キーのセキュリティをさらに向上させるために、復号化制御部２２３において復号化動作を行うのに先立って、復号化操作をしている顧客の認証を行うためのパスワードの入力操作を必要とするようにしても良い。
【００５６】
（他の実施形態の効果の説明）
以上に詳細に説明したように、本他の実施形態においては、前述した実施形態の場合と同様の効果が得られることに加えて、さらに次のような効果が得られる。
【００５７】
本他の実施形態においては、取引装置２０１において、暗号化レシート２０４を発行した際に、読み取り端末２２１に対して、該暗号化レシート２０４の情報を復号化するための復号化キーを配信しているので、取引内容に対するセキュリティ性を確保すると同時に、取引装置２０１において顧客ごとの暗号化レシート２０４の復号化に関するキーの管理を行うことが不要になり、取引装置２０１側の負担を軽減することができる。
【００５８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５９】
１０１    取引装置
１０２    暗号化制御部
１０３    レシート印字部
１０４    暗号化レシート、
１２１    読み取り端末
１２２    撮影部
１２３    復号化制御部
１２４    表示部
１２５    復号化キー入力部
２０１    取引装置
２０２    暗号化制御部
２０３    レシート印字部
２０４    暗号化レシート
２０５    復号化キー送信部
２２１    読み取り端末
２２２    撮影部
２２３    復号化制御部
２２４    表示部
２２５    復号化キー入力部
２２６    復号化キー受信部
【図１】
0005791103.tif 000002
【図２】
0005791103.tif 000003
【図３】
0005791103.tif 000004
【図４】
0005791103.tif 000005
【図５】
0005791103.tif 000006